(57)【特許請求の範囲】
【請求項１】
光ディスクにピックアップからレーザー光を照射してデータを記録又は再生する際の前記光ディスクの種類を判別するディスク判別方法において、
前記ピックアップからレーザー光を照射しながら前記光ディスクに対して前記ピックアップを直角方向に移動し、
その時得られる前記レーザー光が前記光ディスクの表面にフォーカスしたことを示すＳＢＡＤ（サブビーム加算）信号のピーク信号である反射信号と前記レーザー光が前記光ディスクのピット面にフォーカスする際に現われるＦＥ（フォーカスエラー）信号の第１、第２ピーク信号を測定し、
前記反射信号と前記第１ピーク信号間の第１時間及び前記第１、第２ピーク信号間の第２時間を求めて、これら時間を比率計算し、
この比率計算結果により前記光ディスクの種類を判別することを特徴とするディスク判別方法。
【請求項２】
光ディスクにピックアップからレーザー光を照射してデータを記録又は再生する際の前記光ディスクの種類を判別するディスク判別方法において、
前記ピックアップからレーザー光を照射しながら前記光ディスクに対して前記ピックアップを直角方向に移動し、
その時得られる前記レーザー光が前記光ディスクの表面にフォーカスしたことを示すＳＢＡＤ（サブビーム加算）信号のピーク信号である反射信号と前記レーザー光が前記光ディスクのピット面にフォーカスする際に現われるＦＥ（フォーカスエラー）信号の第１、第２ピーク信号を測定し、
前記反射信号と前記第１ピーク信号間の第１時間及び前記第１、第２ピーク信号の波形と基準電圧線との間に形成される２領域の面積を求め、これら時間を比率計算し、
この比率計算結果により前記光ディスクの種類を判別することを特徴とするディスク判別方法。
【請求項３】
前記第１時間を前記第２時間で除した値により、前記光ディスクの種類を判別することを特徴とする請求項１又は２記載のディスク判別方法。
【請求項４】
前記レーザー光の焦点が前記光ディスクのピット面にフォーカスしたことを示すゼロクロス点又はピーク点の数により、シングルレイヤーディスクか、デュアルレイヤーディスクかを判別することを特徴とする請求項１乃至３いずれかに記載のディスク判別方法。
【請求項５】
光ディスクにピックアップからレーザー光を照射してデータを記録又は再生する光ディスク記録再生装置において、
前記ピックアップからレーザー光を照射しながら前記光ディスクに対して前記ピックアップを直角方向に移動する手段と、
前記ピックアップの移動中に、前記レーザー光が前記光ディスクの表面にフォーカスしたことを示すＳＢＡＤ（サブビーム加算）信号のピーク信号である反射信号と前記レーザー光が前記光ディスクのピット面にフォーカスする際の前後に現われるＦＥ（フォーカスエラー）信号の第１、第２ピーク信号を測定する手段と、
前記測定された前記反射信号と前記第１ピーク信号間の第１時間及び前記第１、第２ピーク信号間の第２時間を求めて、これら時間の比率計算を行う手段と、  前記比率計算結果により前記光ディスクの種類を判別する手段と、
を具備することを特徴とする光ディスク記録再生装置。
【請求項６】
光ディスクにピックアップからレーザー光を照射してデータを記録又は再生する光ディスク記録再生装置において、
前記ピックアップからレーザー光を照射しながら前記光ディスクに対して前記ピックアップを直角方向に移動する手段と、
前記ピックアップの移動中に、前記レーザー光が前記光ディスクの表面にフォーカスしたことを示すＳＢＡＤ（サブビーム加算）信号のピーク信号である反射信号と前記レーザー光が前記光ディスクのピット面にフォーカスする際の前後に現われるＦＥ（フォーカスエラー）信号の第１、第２ピーク信号を測定する手段と、
前記測定された前記反射信号と前記第１ピーク信号間の第１時間及び前記第１、第２ピーク信号の波形と基準電圧線との間に形成される２領域の面積を求め、これら時間の比率計算を行う手段と、前記比率計算結果により前記光ディスクの種類を判別する手段と、  を具備することを特徴とする光ディスク記録再生装置。
【発明の詳細な説明】
【０００１】
【発明の属する技術分野】
本発明は、ＤＶＤプレイヤー等の光ディスク記録再生装置に係り、特に記録再生対象のディスクの種類を判別するディスク判別方法に関する。
【０００２】
【従来の技術】
従来、光ディスク再生装置としては、ＣＤ−ＲＯＭドライブ、ＤＶＤ−ＲＯＭドライブ、ＣＤプレイヤー、ＤＶＤプレイヤー、ビデオＣＤプレイヤー等があり、これらプレーヤーでは、例えば再生するディスクがＣＤなのかＤＶＤなのかを判別し、この判別に基づいて、ディスクの再生がなされる。
【０００３】
まず、前記ディスクの判別に際しては、図４に示すように判別対象のディスク１にピックアップ２からレーザー光を照射し、このピックアップ２をアクチュエータ（図示せず）により上から下へ、若しくは下から上へ移動させる。その際、ディスク１がシングルレイヤーのＤＶＤディスクであると、図５（Ａ）、（Ｂ）に示すようなＳＢＡＤ（サブビーム加算）信号とＦＥ（フォーカスエラー）信号を得ることができる。
【０００４】
尚、図５（Ｃ）、（Ｄ）はデュアルレイヤーのＤＶＤディスクのＳＢＡＤ信号とＦＥ信号であり、図５（Ｅ）、（Ｆ）はＣＤディスクのＳＢＡＤ信号とＦＥ信号である。
【０００５】
ここで、図５中の（１）で示した信号のピークは、レーザー光の焦点がディスク１の表面に当たった際の反射による反射信号である。また、（２）はＦＥ信号のゼロクロス点で、レーザー光の焦点がディスク１のピット面に当たった時、即ち、レーザー光のフォーカス点を示している。
【０００６】
ところで、ディスクの規格により、ＤＶＤディスクの場合、表面からフォーカス点までの距離はシングル（Single）レイヤーディスクで０．５７０ｍｍ、デュアル（Dual）レイヤーディスクで０．５５０ｍｍであり、またＣＤディスクの場合は、１．２ｍｍであると定義されている。
【０００７】
それ故、従来技術では、図５中ＳＢＡＤ信号の反射信号（１）の頂点とＦＥ信号のゼロクロス点（２）間の時間を測定し、ＣＤ／ＤＶＤディスクを判別していた。
【０００８】
即ち、ＤＶＤディスクとＣＤディスクでは、図５の反射信号（１）からゼロクロス点（２）までの時間が異なり、ＤＶＤディスクに比べてＣＤディスクの方が長くなり、これにより、ＤＶＤディスクとＣＤディスクの判別を行っている。
【０００９】
又、ディスク１がＤＶＤディスクと判別された場合、シングルレイヤーディスクかデュアルレイヤーディスクかは、図５（Ｂ）、（Ｄ）に示したＦＥ信号のフォーカス点の数で判別し、フォーカス点がひとつの場合はシングルレイヤーディスク、フォーカス点がふたつの場合はデュアルレイヤーディスクと判別される。
【００１０】
【発明が解決しようとする課題】
上記従来の光ディスク再生装置のディスク判別方法において、図５のＳＢＡＤ信号の反射点（１）からＦＥ信号フォーカス点（２）までの時間は、ピックアップの移動速度、即ちピックアップを移動させるアクチュエータの感度、制御電圧、電流によりばらつきが生じるため、ＤＶＤディスクとＣＤディスクを判別するための時間差がばらつく。この時間差のばらつきが大きくなると、ディスクの誤判別を生じ、ディスクの判別率が下がるという問題があった。
【００１１】
尚、上記問題は、光ディスク再生装置だけでなく、ディスクの種類を判別した後、そのディスクにデータを記録する光ディスク記録装置についても、同様に生じる。
【００１２】
本発明は、上述の如き従来の課題を解決するためになされたもので、その目的は、アクチュエータの感度、制御電圧、電流によらず、常に正確にディスクの種類を判別することができるディスク判別方法及びこの判別方法を用いた光ディスク記録再生装置を提供することである。
【００１３】
【課題を解決するための手段】
上記目的を達成するために、請求項１の発明の特徴は、光ディスクにピックアップからレーザー光を照射してデータを記録又は再生する際の前記光ディスクの種類を判別するディスク判別方法において、前記ピックアップからレーザー光を照射しながら前記光ディスクに対して前記ピックアップを直角方向に移動し、その時得られる前記レーザー光が前記光ディスクの表面にフォーカスしたことを示すＳＢＡＤ（サブビーム加算）信号のピーク信号である反射信号と前記レーザー光が前記光ディスクのピット面にフォーカスする際の前後に現われるＦＥ（フォーカスエラー）信号の第１、第２ピーク信号を測定し、前記反射信号と前記第１ピーク信号間の第１時間及び前記第１、第２ピーク信号間の第２時間を求めて、これら時間を比率計算し、この比率計算結果により前記光ディスクの種類を判別することにある。
【００１４】
この請求項１の発明によれば、光ディスクの種類によって、前記反射信号と前記第１ピーク信号間の第１時間が異なるが、前記第１、第２ピーク信号間の第２時間は殆ど変わらないため、例えば第１時間／第２時間の値は、光ディスクの種類によって異なる。従って、この値を求めることにより、光ディスクの種類を特定することができる。
【００１５】
請求項２の発明の特徴は、前記第１時間を前記第２時間で除した値により、前記光ディスクの種類を判別することにある。
【００１６】
請求項３の発明の特徴は、前記第１、第２ピーク信号間の第２時間を求める代わりに、前記第１、第２ピーク信号の波形と基準電圧線との間に形成される２領域の面積を求め、これら２領域の面積の和を前記第２時間の代わりに用いることにある。
【００１７】
請求項４の発明の特徴は、前記レーザー光の焦点が前記光ディスクのピット面にフォーカスしたことを示すゼロクロス点又はピーク点の数により、シングルレイヤーディスクか、デュアルレイヤーディスクかを判別することにある。
【００１８】
請求項５の発明の特徴は、光ディスクにピックアップからレーザー光を照射してデータを記録又は再生する光ディスク記録再生装置において、前記ピックアップからレーザー光を照射しながら前記光ディスクに対して前記ピックアップを直角方向に移動する手段と、前記ピックアップの移動中に、前記レーザー光が前記光ディスクの表面にフォーカスしたことを示すＳＢＡＤ（サブビーム加算）信号のピーク信号である反射信号と前記レーザー光が前記光ディスクのピット面にフォーカスする際の前後に現われるＦＥ（フォーカスエラー）信号の第１、第２ピーク信号を測定する手段と、前記測定された前記反射信号と前記第１ピーク信号間の第１時間及び前記第１、第２ピーク信号間の第２時間を求めて、これら時間の比率計算を行う手段と、前記比率計算結果により前記光ディスクの種類を判別する手段と、を具備することにある。
【００１９】
請求項６の発明の特徴は、前記第１、第２ピーク信号間の第２時間を求める代わりに、前記第１、第２ピーク信号の波形と基準電圧線との間に形成される２領域の面積を求め、これら２領域の面積の和を前記第２時間の代わりに用いることにある。
【００２０】
【発明の実施の形態】
以下、本発明の実施の形態を図面に基づいて説明する。図１は、本発明の光ディスク記録再生装置の第１の実施の形態を示したブロック図である。光ディスク記録再生装置のディスク判別系は、レーザー光をディスク１に照射するピックアップ２、ピックアップ２から得られた信号を処理して、ＦＥ（フォーカスエラー）信号やＳＢＡＤ信号を作成する信号処理部３、この信号処理部３より得られたＦＥ信号やＳＢＡＤ信号などのアナログ信号をデジタル信号に変換するＡ／Ｄ変換部４、このＡ／Ｄ変換部４より入力されるデジタル化されたＦＥ信号やＳＢＡＤ信号に基づいて、ディスク１の種類を判別するディスク判別処理部５から成っている。
【００２１】
システム制御部６は記録再生制御等を行うが、ディスク判別処理部５の判別結果に基づいて、セットされたディスクの種類に対応した記録又は再生制御を行う。
【００２２】
次に本実施の形態の動作について説明する。ディスク判別時、ピックアップ２はレーザー光をディスク１に照射しながら図示しないアクチュエータによりディスク１に対して直角方向に移動する。その際、ピックアップ２より得られた信号は信号処理部３により処理され、ＦＥ信号、ＳＢＡＤ信号が作成され、これら信号がＡ／Ｄ変換部４によりデジタル化され、ディスク判別処理部５に入力される。
【００２３】
ディスク判別処理部５は入力されるＦＥ信号、ＳＢＡＤ信号より以下に述べるディスク１の判別処理を行い、その結果をシステム制御部６に与える。
【００２４】
まず、上記したようにディスク１に対してピックアップ２からレーザー光を照射しながら、このピックアップ２を上から下へ、若しくは下から上へ移動させる。
【００２５】
これにより、図２（Ａ）に示したようなＳＢＡＤ信号が、図２（Ｂ）に示したようなＦＥ信号が得られる。但し、（１）の信号のピークは、レーザー光の焦点がディスク１の表面に当たった際の反射による反射信号である。また、ＦＥ信号のゼロクロス点は、レーザー光の焦点がディスク１のピット面に当たった時、即ち、レーザー光のフォーカス点であり、このフォーカス点の前後にＦＥ信号のピーク信号（２）、（３）が現われる。
【００２６】
そこで、ディスク判別処理部５は、図３のＳＢＡＤ信号の反射信号（１）の頂点からＦＥ信号のピーク信号（２）の頂点までの時間を測定して（４）とする。又、図２のＦＥ信号のピーク信号（２）の頂点から逆に現れるピーク信号（３）の頂点までの時間を測定し、（５）とする。
【００２７】
その後、（４）／（５）の比率計算をし、この比率計算結果により、ディスク１の種類を判別する。即ち、前記比率計算結果はディスク１がＣＤディスクである時の方が、ＤＶＤディスクである時よりも、大きくなる。これはディスク１の種類により、（４）の長さが異なる（ＣＤの方が長い）が、（５）の長さが殆ど変わらないためである。これにより、ディスク判別処理部５はディスク１の種類を判別することができる。
【００２８】
本実施の形態によれば、上記した（４）／（５）の比率計算結果により、ディスク１の種類を判別しているため、ピックアップ２を移動させるアクチュエータの感度、制御電圧、電流がばらついた場合に（４）と（５）はそれぞればらつくが、（４）／（５）の比率はほぼ一定になる。これにより、本例はアクチュエータの感度、制御電圧、電流に拘らず、ディスク１の種類を常に正確に判別することができる。
【００２９】
尚、本例も、ディスク１がＤＶＤディスクと判別された後、得られたＦＥ信号のゼロクロス点の数（又はＦＥ信号のピーク点の数）で、シングルレイヤーディスクかデュアルレイヤーディスクかを判別している。
【００３０】
図３は、本発明の光ディスク記録再生装置の第２の実施の形態の要部を示した信号波形図である。本例は、ＦＥ信号に現われるピーク信号（２）、（３）の頂点から頂点までの時間を求める方法が前実施の形態と異なるだけで、装置の構成は前実施の形態と同一であるため、以降、図１の構成を借用して説明する。
【００３１】
本例のディスク判別時も、ディスク１に対してピックアップ２からレーザー光を照射しながら、このピックアップ２を上から下へ、若しくは下から上へ移動させる。これにより、信号処理部３からは図３に示したようなＳＢＡＤ信号と、ＦＥ信号が得られる。
【００３２】
その後、図３のＳＢＡＤ信号の反射信号（１）の頂点からＦＥ信号のピーク信号（２）の頂点までの時間を測定し、これを（４）とする。又、図４のＦＥ信号基準電圧とＦＥ信号のピーク（２）、（３）で囲まれる斜線部分の面積を一定の時間ごとに測定して（６）とする。
【００３３】
次に、（４）／（６）の比率計算を行い、その結果により、ディスク１の種類を判別する。
【００３４】
ここで、図３のＦＥ信号基準電圧とＦＥ信号で囲まれる斜線部分の面積である（６）は、ＦＥ信号のピーク信号（２）、（３）の頂点から頂点までの時間に比例した値になることが分っている。
【００３５】
従って、斜線部分の面積（６）を用いて得られた（４）／（６）の比率計算結果も、ディスク１がＣＤである時の方が、ＤＶＤである時よりも、大きくなるため、これにより、ディスク判別処理部５はディスク１の種類を判別することができる。
【００３６】
本実施の形態も、アクチュエータのアクチュエータの感度、制御電圧、電流がばらついた場合、（４）と（６）はそれぞればらつくが、（４）／（６）の比率はほぼ一定になるため、前実施の形態と同様の効果を得ることができる。
【００３７】
尚、上記ＳＢＡＤ信号は３ビーム方式のピックアップ２を使用した場合には、必ず得られるが、１ビーム方式のピックアップ２を使用した場合でも、ＳＢＡＤ信号と同等の信号が得られるため、上記本発明のディスク判別方法を適用して、同様の効果を得ることができる。
【００３８】
又、上記実施の形態では、ピックアップ２から得られた信号をＡ／Ｄ変換し、デジタル的にディスク判別を行ったが、本発明のディスク判別方法は、第１、第２の実施の形態と共に、アナログ回路にても実現可能である。
【００３９】
【発明の効果】
以上詳細に説明したように、本発明によれば、ディスク判別に使用する値を比率計算で求めることにより、アクチュエータの感度、制御電圧、電流によらず、常に正確にディスクの種類を判別することができる。
【図面の簡単な説明】
【図１】本発明の光ディスク記録再生装置の第１の実施の形態を示したブロック図である。
【図２】図１に示した装置におけるディスク判別方法を説明する信号波形図である。
【図３】本発明の光ディスク記録再生装置の第２の実施の形態の要部を示した信号波形図である。
【図４】従来のディスク判別方法を説明する図である。
【図５】従来のディスク判別方法を説明する信号波形図である。
【符号の説明】
１  ディスク
２  ピックアップ
３  信号処理部
４  Ａ／Ｄ変換部
５  ディスク判別処理部
６  システム制御部
【図１】
0004097833.tif 000002
【図２】
0004097833.tif 000003
【図３】
0004097833.tif 000004
【図４】
0004097833.tif 000005
【図５】
0004097833.tif 000006